【手続補正書】
【提出日】平成20年7月4日(2008.7.4)
【手続補正１】
【補正対象書類名】明細書
【補正対象項目名】特許請求の範囲
【補正方法】変更
【補正の内容】
【特許請求の範囲】
【請求項１】
多重化された信号を発生する方法において、
ａ１）オーディオ信号をデジタル化及び符号化して、基本オーディオストリームを得るステップと、
ａ２）ビデオ信号をデジタル化及び符号化して、基本ビデオストリームを得るステップと、
ｂ１）前記基本オーディオストリームを、ヘッダとデータ部とを有する前パケットに分割するステップと、
ｂ２）前記基本ビデオストリームを、ヘッダとパケットデータ部とを有する前パケットに分割するステップと、
ｃ）前記パケット化された基本ストリームを単一のストリームに統合するステップと、
ｄ）前記前パケットを、これら各前パケットの前記ヘッダの少なくとも１つのデータフィールドにＥＳＤＦデータを記入することによりパケットを形成するように仕上げるステップと、
を有し、前記ＥＳＤＦデータは、前記パケット化するステップ（ｂ１、ｂ２）前に前記基本ストリームから導出されて、前記仕上げるステップ（ｄ）に供給されることを特徴とする多重化された信号を発生する方法。
【請求項２】
請求項１に記載の方法において、前記多重化された信号がパックを有し、これら各パックはパックヘッダと所定数の前記パケットを含むパックデータ部とを有し、前記パックヘッダの少なくとも１つのデータフィールドに、前記統合するステップ（ｃ）の後で、前記ＥＳＤＦデータの一部が記入されることを特徴とする方法。
【請求項３】
請求項１又は請求項２に記載の方法において、前記ＥＳＤＦデータは該ＥＳＤＦデータを前記パケット化された基本ストリームに組み込むことにより前記仕上げるステップに供給され、前記ＥＳＤＦデータが該仕上げるステップにおいて前記データストリームから削除されることを特徴とする方法。
【請求項４】
請求項２及び請求項３に記載の方法において、前記ＥＳＤＦデータが前記オーディオ前パケット及び前記ビデオ前パケットにメタバイトとして付加されることを特徴とする方法。
【請求項５】
請求項２及び請求項３に記載の方法において、
前記パックは１つの型式のパケットのみを有し、
前記統合するステップ（ｃ）前に、前記オーディオ及びビデオ前パケットからオーディオ及びビデオ前パックが形成され、
前記ＥＳＤＦデータは、メタバイトとして前記オーディオ及びビデオ前パックに付加され、
前記オーディオ及びビデオ前パックのストリームは、前パックの単一のストリームに統合され、
前記ＥＳＤＦデータは当該前パックに関連する前記メタバイトから取り出され、
前記前パックは、これら各前パックのヘッダの少なくとも１つのデータフィールドにＥＳＤＦデータを記入することによりパックを形成するようにして仕上げられ、
前記前パケットは、これら各前パケットの前記ヘッダの少なくとも１つのデータフィールドにＥＳＤＦデータを記入することによりパケットを形成するようにして仕上げられ、
前記メタバイトが、前記データストリームから削除される、
ことを特徴とする方法。
【請求項６】
請求項１ないし５の何れか一項に記載の方法において、
前記オーディオ及びビデオ信号をデジタル化及び符号化するステップ、前記ＥＳＤＦデータを前記基本ストリームから取り出すステップ、前記前パケットのストリームを生成するステップ、並びに前記ＥＳＤＦデータを前記前パケットにメタバイトとして付加するステップが、ハードウェア構成要素により実行され、
前記前パケットのストリームを統合するステップ、前記ＥＳＤＦデータを前記メタバイトから取り出すステップ、前記ＥＳＤＦデータを前記パケット及びパックのヘッダに記入するステップ、並びに前記メタバイトを前記データストリームから削除するステップがソフトウェアにより実行される、
ことを特徴とする方法。
【請求項７】
請求項５に記載の方法において、
前記オーディオ及びビデオ信号をデジタル化及び符号化するステップ、前記ＥＳＤＦデータを前記基本ストリームから取り出すステップ、前記前パケットのストリームを生成するステップ、前記前パックのストリームを生成するステップ、並びに前記ＥＳＤＦデータを前記前パックにメタバイトとして付加するステップが、ハードウェア構成要素により実行され、
前記前パックのストリームを統合するステップ、前記ＥＳＤＦデータを前記メタバイトから取り出すステップ、前記ＥＳＤＦデータを前記パケット及びパックのヘッダに記入するステップ、並びに前記メタバイトを前記データストリームから削除するステップがソフトウェアにより実行される、
ことを特徴とする方法。
【請求項８】
ビデオ信号及びオーディオ信号を処理する装置において、
オーディオ信号を入力して、基本オーディオストリームを発生するオーディオエンコーダ手段と、
ビデオ信号を入力して、基本ビデオストリームを発生するビデオエンコーダ手段と、
前記基本オーディオストリームを入力すると共に、各々がデータ部とヘッダとを有するようなオーディオ前パケットを発生するオーディオパケタイザ手段と、
前記基本ビデオストリームを入力すると共に、各々がデータ部とヘッダとを有するようなビデオ前パケットを発生するビデオパケタイザ手段と、
前記基本オーディオストリームを入力及び解析して、解析情報を発生するオーディオ解析器手段と、
前記基本ビデオストリームを入力及び解析して、解析情報を発生するビデオ解析器手段と、
を有し、前記パケタイザ手段は、前記解析情報を前記前パケットにメタバイトとして付加するように構成されていることを特徴とするビデオ信号及びオーディオ信号を処理する装置。
【請求項９】
ビデオ信号及びオーディオ信号を処理する装置において、
オーディオ信号を入力して、基本オーディオストリームを発生するオーディオエンコーダ手段と、
ビデオ信号を入力して、基本ビデオストリームを発生するビデオエンコーダ手段と、
前記基本オーディオストリームを入力すると共に、各々がデータ部とヘッダとを有するようなオーディオ前パケットを発生するオーディオパケタイザ手段と、
前記基本ビデオストリームを入力すると共に、各々がデータ部とヘッダとを有するようなビデオ前パケットを発生するビデオパケタイザ手段と、
前記オーディオ前パケットを入力すると共に、各々がデータ部とヘッダとを有するようなオーディオ前パックを発生するオーディオ前置パッカ手段であって、前記各データ部が所定数の前記オーディオ前パケットを含むようなオーディオ前置パッカ手段と、
前記ビデオ前パケットを入力すると共に、各々がデータ部とヘッダとを有するようなビデオ前パックを発生するビデオ前置パッカ手段であって、前記各データ部が所定数の前記ビデオ前パケットを含むようなビデオ前置パッカ手段と、
前記基本オーディオストリームを入力及び解析して、解析情報を発生するオーディオ解析器手段と、
前記基本ビデオストリームを入力及び解析して、解析情報を発生するビデオ解析器手段と、
を有し、前記前置パッカ手段は、前記解析情報を前記前パックにメタバイトとして付加するように構成されていることを特徴とするビデオ信号及びオーディオ信号を処理する装置。
【請求項１０】
請求項９に記載の装置において、１つのパックの前記データ部における前記パケットの所定数が１に等しいことを特徴とする装置。
【請求項１１】
請求項８ないし１０の何れか一項に記載の装置において、ハードウェアにより集積回路として構成されていることを特徴とする装置。
【請求項１２】
ハードウェアにより集積回路として構成される共通メタユニットにおいて、
基本オーディオストリーム及び基本ビデオストリームを各々入力すると共に、各々がデータ部とヘッダとを有するようなオーディオ前パケット及びビデオ前パケットを各々発生するパケタイザ手段と、
前記オーディオ及びビデオ前パケットを各々入力すると共に、各々がデータ部とヘッダとを有するようなオーディオ及びビデオ前パックを各々発生する前置パッカ手段であって、前記各データ部が所定数の前記前パケットを含むような前置パッカ手段と、
前記基本オーディオ及びビデオストリームを各々入力及び解析して、解析情報を発生する解析器手段と、
を有し、前記前置パッカ手段は、前記解析情報を前記前パックにメタバイトとして付加するように構成されていることを特徴とする共通メタユニット。
【請求項１３】
請求項８に記載の装置から前記オーディオ前パケット及び前記ビデオ前パケット並びに前記付加されたメタバイトのストリームを入力すると共に、これらストリームをオーディオ前パケット及びビデオ前パケット並びに前記付加されたメタバイトの単一のストリームに合成するように構成されたマルチプレクサモジュールであって、該マルチプレクサモジュールが、好ましくは、適切にプログラムされたプロセッサとしてソフトウェアにより構成されていることを特徴とするマルチプレクサモジュール。
【請求項１４】
請求項１３に記載のマルチプレクサモジュールから前記オーディオ前パケット及び前記ビデオ前パケット並びに前記付加されたメタバイトの単一のストリームを入力し、
各々がヘッダと所定数のオーディオ前パケット及び／又はビデオ前パケットを含むデータ部とを有するようなパックを形成し、
前記メタバイトにおける前記解析情報を取り出し、
該解析情報の一部を前記パックヘッダのデータフィールドに書き込み、
前記パケットヘッダを、該パケットヘッダの空きのデータフィールドに前記解析情報の一部を書き込むことにより仕上げ、
前記メタバイトを前記データストリームから削除する、
ように構成されたパッカモジュールであって、該パッカモジュールが、好ましくは、適切にプログラムされたプロセッサとしてソフトウェアにより構成されていることを特徴とするパッカモジュール。
【請求項１５】
請求項１３に記載のマルチプレクサモジュールの処理及び請求項１４に記載のパッカモジュールの処理を統合された処理として実行するよう構成された統合されたマルチプレクサ／パッカモジュールであって、該統合されたマルチプレクサ／パッカモジュールが、好ましくは、適切にプログラムされたプロセッサとしてソフトウェアにより構成されていることを特徴とする統合されたマルチプレクサ／パッカモジュール。
【請求項１６】
請求項９又は請求項１０に記載の装置から前記オーディオ前パック及び前記ビデオ前パック並びに前記付加されたメタバイトのストリームを入力すると共に、これらストリームをオーディオ前パック及びビデオ前パック並びに前記付加されたメタバイトの単一のストリームに合成するように構成されたマルチプレクサモジュールであって、該マルチプレクサモジュールが、好ましくは、適切にプログラムされたプロセッサとしてソフトウェアにより構成されていることを特徴とするマルチプレクサモジュール。
【請求項１７】
請求項１６に記載のマルチプレクサモジュールから前記オーディオ前パック及び前記ビデオ前パック並びに前記付加されたメタバイトの単一のストリームを入力し、
前記メタバイトにおける前記解析情報を取り出し、
前記パケットヘッダを、該パケットヘッダの空きのデータフィールドに前記解析情報の一部を書き込むことにより仕上げ、
前記パックヘッダを、該パックヘッダの空きのデータフィールドに前記解析情報の一部を書き込むことにより仕上げ、
前記メタバイトを前記データストリームから削除する、
ように構成されフィニシャモジュールであって、該フィニシャモジュールが、好ましくは、適切にプログラムされたプロセッサとしてソフトウェアにより構成されていることを特徴とするフィニシャモジュール。
【請求項１８】
請求項１６に記載のマルチプレクサモジュールの処理及び請求項１７に記載のフィニシャモジュールの処理を統合された処理として実行するよう構成された統合されたマルチプレクサ／フィニシャモジュールであって、該統合されたマルチプレクサ／フィニシャモジュールが、好ましくは、適切にプログラムされたプロセッサとしてソフトウェアにより構成されていることを特徴とする統合されたマルチプレクサ／フィニシャモジュール。
【請求項１９】
プロセッサ上で実行する場合に、該プロセッサに請求項１３又は１６に記載のマルチプレクサモジュールの機能を果たさせることを特徴とするプログラム。
【請求項２０】
プロセッサ上で実行する場合に、該プロセッサに請求項１４に記載のパッカモジュールの機能を果たさせることを特徴とするプログラム。
【請求項２１】
プロセッサ上で実行する場合に、該プロセッサに請求項１５に記載の統合されたマルチプレクサ／パッカモジュールの機能を果たさせることを特徴とするプログラム。
【請求項２２】
プロセッサ上で実行する場合に、該プロセッサに請求項１７に記載のフィニシャモジュールの機能を果たさせることを特徴とするプログラム。
【請求項２３】
プロセッサ上で実行する場合に、該プロセッサに請求項１８に記載の統合されたマルチプレクサ／フィニシャモジュールの機能を果たさせることを特徴とするプログラム。
【請求項２４】
請求項１ないし７の何れか一項に記載の方法を実行するように構成されたコーダ装置。
【請求項２５】
請求項８に記載の処理装置と、請求項１３に記載のマルチプレクサモジュールと、請求項１４に記載のパッカモジュールとの組み合わせを有するか、又は請求項８に記載の処理装置と請求項１５に記載の統合されたマルチプレクサ／パッカモジュールとの組み合わせを有することを特徴とするコーダ装置。
【請求項２６】
請求項９若しくは１０に記載の処理装置と、請求項１６に記載のマルチプレクサモジュールと、請求項１７に記載のフィニシャモジュールとの組み合わせを有するか、又は請求項９若しくは１０に記載の処理装置と請求項１８に記載の統合されたマルチプレクサ／フィニシャモジュールとの組み合わせを有することを特徴とするコーダ装置。
【請求項２７】
請求項２４ないし２６の何れか一項に記載のコーダ装置を有し、該装置に通常のオーディオ及びビデオ信号を処理させることを特徴とするデジタル表示装置。
【請求項２８】
請求項２４ないし２６の何れか一項に記載のコーダ装置を有し、該装置に通常のオーディオ及びビデオ信号を処理させることを特徴とするデジタル記録装置。
【請求項２９】
請求項２４ないし２６の何れか一項に記載のコーダ装置を有し、該装置に通常のオーディオ及びビデオ記録を再生させて、デジタルオーディオ及びビデオ信号を出力させることを特徴とする再生装置。
【手続補正２】
【補正対象書類名】図面
【補正対象項目名】図４Ａ
【補正方法】変更
【補正の内容】
【図４Ａ】
2004504780.tif 000001
【手続補正３】
【補正対象書類名】図面
【補正対象項目名】図６Ｂ
【補正方法】変更
【補正の内容】
【図６Ｂ】
2004504780.tif 000002